(57)【要約】  【課題】  トイレ内を暖房することができ、また、用便の際のにおいの拡散を少ないトイレ用暖房構造を提供する。  【解決手段】  放熱器及び送風機を有する室内機１２と、熱源３０及び熱交換器３１を有する室外機１３と、配管部材１５とが設けられており、前記配管部材１５は前記放熱器と前記熱交換器３１とを接続して循環するように配管されている。そして、熱交換器３１内の水を熱源３０によって加熱して温水を発生させ、前記温水を放熱器に供給して放熱器で放熱し、送風機を作動させて放熱器から放熱された熱によって加熱された空気をトイレ内５に吹き出して暖房する。また、トイレの壁部７には内外を貫通する貫通孔９が設けられており、かかる暖房の際に、換気部１４による換気が連動する。【選択図】  図１
2005037083.tif 000002
【特許請求の範囲】
【請求項１】
暖房部及び換気部を有し、前記暖房部は放熱器及び送風機を有する室内機と、熱源及び熱交換器を有する室外機と、配管部材とが設けられ、前記配管部材は前記放熱器と前記熱交換器とを接続して循環するように配管されるものであり、熱交換器内の熱媒体を熱源によって加熱し、前記熱媒体を放熱器に供給して放熱器から熱媒体の熱を放熱することが可能であり、前記送風機を作動させると放熱器から放熱された熱によって加熱された空気をトイレ内に吹き出すことが可能であり、さらに、トイレの壁部には内外を貫通する貫通孔が設けられており、前記換気部が作動するとトイレ内の空気が前記貫通孔内から外部に流れて換気が可能であり、熱媒体を放熱器に供給して放熱器から放熱された熱によって加熱された空気を送風機によりトイレ内に吹き出すように操作すると、前記換気部が連動することを特徴とするトイレ用暖房構造。
【請求項２】
前記室内機はトイレの壁部との間に隙間を有した状態で、前記貫通部を覆うように設置されており、前記換気部を作動させるとトイレ内の空気が前記室内機と壁部の隙間を通って前記貫通孔内を流れて、換気が行われることを特徴とする請求項１に記載のトイレ用暖房構造。
【請求項３】
前記室内機は吸入部と吹出部を有し、前記送風機を作動させると、前記吸入部からトイレ内の空気を吸入し、放熱器から放熱された熱によって当該空気を加熱して前記吹出部からトイレ内に吹き出すことが可能であり、前記吸入部及び前記吹出部はトイレの壁部とは反対側に位置していることを特徴とする請求項１又は２に記載のトイレ用暖房構造。
【請求項４】
前記換気部は暖房部の室内機と一体的に形成されていることを特徴とする請求項１〜３のいずれかに記載のトイレ用暖房構造。
【請求項５】
請求項１〜３のいずれかに記載のトイレ用暖房構造の施工方法であって、暖房部を取り付ける工程と、トイレに既設の換気部を前記暖房部の作動によって連動するように接続する工程とを有することを特徴とするトイレ用暖房構造の施工方法。
【発明の詳細な説明】
【技術分野】
【０００１】
本発明は、トイレの暖房を行うことができるトイレ用暖房構造に関するものであり、また、かかるトイレ用暖房構造の施工方法に関するものである。
【背景技術】
【０００２】
冬などの気温の低い時期に、トイレを快適に使用することが可能となるように、トイレに暖房装置を設けることがある。そして、このような種類の暖房装置は、電気ヒータ等によりトイレ内の空気を暖めることにより、使用者が寒さを感じることなくトイレを快適に利用することができる。
【０００３】
そして、暖房装置の方法として、温風によってトイレの室温を高める方法と、赤外線ヒータなどを用いて使用者や便座などを直接暖める方法とがある。後者の方法では、赤外線が当たっている面しか温度が上がらず、トイレを全体に暖房するには、前者の温風による方法が優れている。この温風による方法の暖房装置として、特許文献１に記載されるようなトイレ用の暖房装置がある。
【０００４】
【特許文献１】特開２００３−１９００４３号公報
【０００５】
特許文献１には、便器付近に送風機とヒータを設けて、温風を吹き出して暖房を行うトイレ用の暖房装置が記載されている。
【発明の開示】
【発明が解決しようとする課題】
【０００６】
温風によって暖房を行う方法では、空気の流れが発生する。そして、この空気の流れによって、用便の際のにおいが拡散するおそれがあった。かかる場合には、使用者に不快感を与えてしまう。
【０００７】
そこで本発明は、暖房運転を行っても用便の際のにおいを拡散させることのない暖房装置の開発を課題とするものである。
【課題を解決するための手段】
【０００８】
そして、上記した目的を達成するための請求項１に記載の発明は、暖房部及び換気部を有し、前記暖房部は放熱器及び送風機を有する室内機と、熱源及び熱交換器を有する室外機と、配管部材とが設けられ、前記配管部材は前記放熱器と前記熱交換器とを接続して循環するように配管されるものであり、熱交換器内の熱媒体を熱源によって加熱し、前記熱媒体を放熱器に供給して放熱器から熱媒体の熱を放熱することが可能であり、前記送風機を作動させると放熱器から放熱された熱によって加熱された空気をトイレ内に吹き出すことが可能であり、さらに、トイレの壁部には内外を貫通する貫通孔が設けられており、前記換気部が作動するとトイレ内の空気が前記貫通孔内から外部に流れて換気が可能であり、熱媒体を放熱器に供給して放熱器から放熱された熱によって加熱された空気を送風機によりトイレ内に吹き出すように操作すると、前記換気部が連動することを特徴とするトイレ用暖房構造である。
【０００９】
請求項１に記載の発明によれば、暖房部が作動すると前記換気部が連動して換気するので、使用者が臭いによる不快感を発生させることがない。
【００１０】
請求項２に記載の発明は、前記室内機はトイレの壁部との間に隙間を有した状態で、前記貫通部を覆うように設置されており、前記換気部を作動させるとトイレ内の空気が前記室内機と壁部の隙間を通って前記貫通孔内を流れて、換気が行われることを特徴とする請求項１に記載のトイレ用暖房構造である。
【００１１】
請求項２に記載の発明によれば、前記室内機は前記貫通部付近にトイレの壁部と隙間を設けるように設置されており、前記換気部を作動させるとトイレ内の空気が前記室内機と壁部の隙間から前記貫通孔内を流れて換気が可能であるので、トイレ外部への排気の流れが壁部を沿う流れとなり、トイレ内の内部の暖まった空気が排出されにくい。
【００１２】
請求項３に記載の発明は、前記室内機は吸入部と吹出部を有し、前記送風機を作動させると、前記吸入部からトイレ内の空気を吸入し、放熱器から放熱された熱によって当該空気を加熱して前記吹出部からトイレ内に吹き出すことが可能であり、前記吸入部及び前記吹出部はトイレの壁部とは反対側に位置していることを特徴とする請求項１又は２に記載のトイレ用暖房構造である。
【００１３】
請求項３に記載の発明によれば、吸入部及び前記吹出部はトイレの壁部とは反対側に位置しているので、室内機から吹き出された暖かい空気が、トイレの中央に向かって吹きつけられることとなり、使用者の付近の温度をより早く上昇させることができる。
【００１４】
請求項４に記載の発明は、前記換気部は暖房部の室内機と一体的に形成されていることを特徴とする請求項１〜３のいずれかに記載のトイレ用暖房構造である。
【００１５】
請求項４に記載の発明によれば、前記換気部は暖房部の室内機と一体的に形成されているので、施工が容易である。
【００１６】
請求項５に記載の発明は、請求項１〜３のいずれかに記載のトイレ用暖房構造の施工方法であって、暖房部を取り付ける工程と、トイレに既設の換気部を前記暖房部の作動によって連動するように接続する工程とを有することを特徴とするトイレ用暖房構造の施工方法である。
【００１７】
請求項５に記載の発明によれば、トイレに既設の換気部をそのまま用いることができるので、建築済みの住宅にも適用が容易である。
【発明の効果】
【００１８】
本発明によれば、トイレ内を暖房することができ、また、使用者が臭いによる不快感を発生させることがない。
【００１９】
特に、請求項２の発明によれば、トイレ外部への排気の流れが壁部を沿う流れとなって暖まった空気が排出されにくい。
【００２０】
特に、請求項３に記載の発明によれば、室内機から吹き出された暖かい空気が、トイレの中央に向かって吹きつけることとなり、使用者の付近の温度をより早く上昇させることができる。
【００２１】
特に、請求項４に記載の発明によれば、前記換気部は暖房部の室内機と一体的に形成されているので、施工が容易である。
【００２２】
特に、請求項５に記載の発明によれば、トイレに設置されている換気部をそのまま用いることができるので、建築済みの住宅にも適用が容易である。
【発明を実施するための最良の形態】
【００２３】
以下、本発明に関して詳細に説明する。
図１は、本発明のトイレ用暖房構造を横方向から見た模式図である。図２は、本発明のトイレ用暖房構造を上から見た模式図である。図３は、室内機の一部を切り欠いた斜視図である。図４は、循環水路を示した模式図である。図５は、室内機の取付部付近をトイレ内から見たときの壁部の斜視図である。図６は、換気部の取付部付近をトイレ外から見たときの壁部の斜視図である。
【００２４】
本発明のトイレ用暖房構造１は、図１、図２に示されるものであり、暖房部１０と換気部１４を有している。そして、トイレ用暖房構造１の暖房部１０と換気部１４を用いることにより、トイレ内５を換気しながら暖房することができる。なお、トイレ内５には便器６が備えられている。
【００２５】
暖房部１０は、室内機１２、室外機１３及び配管部材１５を有している。そして、室内機１２はトイレ内５に設置される。このとき、室内機１２の裏側をトイレの壁部７側となるように設置する。また、室外機１３はトイレの外側に設置する。
さらに、室内機１２と壁部７との間に隙間８が設けられている。そして、壁部８には、貫通孔９が設けられており、貫通孔９はトイレの内外を貫通している。室内機１２は貫通孔９を覆うような位置に設置されている。
【００２６】
室内機１２は、図３に示されており、放熱器２０、送風機２１及びケース２２を有している。そして、ケース２２の内部に放熱器２０及び送風機２１が配置されている。
放熱器２０は、筒状で水路２０ａとフィン２０ｂとを有しており、水路２０ａ内の温水の熱を放熱することができる。さらに、放熱器２０は配管部材１５の往き配管１５ａと戻り配管１５ｂと接続している。また、放熱器２０には図４に示す開閉弁２９が設けられ、往き配管１５ａとの接続部分に設けられている。
【００２７】
送風機２１は、具体的にはクロスフローファンである。そして、このクロスフローファンは、図３に示されるように中心軸を軸として回転可能な円柱状の回転体が回転し、回転体の表面付近の空気を移動させることにより、送風することができるものである。また、送風機２１は放熱器２０の下側に位置している。
【００２８】
放熱器２０とケース２２との内側には隙間２６がある。そして、この隙間２６は、室内機１２の表側から上側を通り、裏側に至るものである。隙間２６は、一方が後述する吸入口２３につながり、他方が放熱器２０の下側に位置する送風機２１の付近までつながっている。
【００２９】
また、ケース２２には、吸入口２３と吹出口２５が設けられている。吸入口２３及び吹出口２５は、ケース２２の内外を空気が通過することが可能となっている。
吸入口２３及び吹出口２５は室内機１２の表側に位置し、吹出口２５は、吸入口２３の下側に位置している。そして、吸入口２３は放熱器２０の表側付近であり、吹出口２５は送風機２５の表側付近に位置している。
【００３０】
そして、送風機２１を作動させると、ケース２２内の空気を吹出口２５から吹出すことができ、また一方で、隙間２６を減圧させることができるので、吸入口２３からトイレ内の空気を吸入する。したがって、送風機２１を作動させるとトイレ内５の空気は、吸入口２３から隙間２６を経て、吹出口２５から吹き出される。
【００３１】
室外機１３は、図１に示されるように、熱源３０、熱交換器３１及びポンプ３２を有している。熱源３０は具体的にはガスや灯油などを燃料として燃焼させる燃焼装置である。熱交換器３１は、内部が筒状で水路を有しており、熱源３０の熱によって当該水路の水を加熱することができる。さらに、熱交換器３１は配管部材１５の往き配管１５ａと戻り配管１５ｂと接続しており、ポンプ３２は熱交換器３１と戻り配管１５ｂとの間に設けられている。
【００３２】
そして、図４に示されるように、熱交換器３１、放熱器２０及び配管部材１５によって循環水路５３が形成される。ポンプ３２が作動して、開閉弁２９が開放していると、内部の水は、熱交換器３１から、往き配管１５ａ、放熱器２０、戻り配管１５ｂを経て再び、熱交換器３１に戻って循環することが可能となる。
【００３３】
換気部１４は、図１、図２に示されるように、貫通孔９付近のトイレの外側に設置されており、ファン４０とカバー４１が設けられている。換気部１４は、トイレに既設の換気扇を用いられる。
そして、ファン４０が作動すると、貫通孔９からトイレ内５の空気を吸引し、トイレの外部に排出することができる。また、カバー４１はファン４０を覆うように設けられ、下面側が開放されており、前記したトイレ内５の空気の排出は下面側から排出される。
【００３４】
図２に示されるように、室内機１２と電源５０とは電線５１によって接続され、室内機１２に電気が供給される。また、換気部１４と室内機１２とは電線５１によって接続され、換気部１４の電気の供給は室内機を経由して行われる。
そして、換気部１４の作動は、室内機１２の作動と連動するように構成されており、室内機１２の作動により自動的に換気部１４のファン４０が作動して、トイレ内５の空気の排気を行う。具体的には、室内機１２内にリレーが設けられており、室内機１２の作動により換気部１４のファン４０が作動する。
【００３５】
次に、本発明のトイレ用暖房構造１の暖房部１０と換気部１４を用いて、トイレの暖房を行う方法について説明する。
【００３６】
トイレの暖房を開始する場合には、まず、暖房部１０を作動させる。具体的には、熱源３０を使用し、循環水路５３内の水を循環させて、室内機１２の送風機２１を作動させる。ここで、循環水路５３内の水（熱媒）は、急速な暖房が可能なように予め温まった状態を保持するようにポンプ３２を作動し、放熱器２０の温度が低下しないよう開閉弁２９を開閉しつつ熱源３０の燃焼制御を行いながら循環されている。また、送風機２１の作動は、使用者がトイレに入って用便する際等に行われる。この送風機２１の作動のための入力は、トイレの使用者が手動で入力するものでもよく、また、使用者の入室を検知するなどにより自動的に入力させるものでもよい。
室内機１２が作動すると、換気部１４が連動し、自動的に換気部１４のファン４０が作動する。
【００３７】
そして、トイレの暖房を行うと、熱源３０で発生した熱は次のように移動する。
まず、熱源３０で発生した熱によって熱交換器３１内部の水を加熱する。そして、ポンプ３２により循環水路５３内の水が循環するので、この加熱された水が往き配管１５ａに流れて放熱器２０に至る。さらに、加熱された水が室内機１２内の放熱器２０で放熱される。なお、放熱器２０で放熱された後の水は戻り配管１５ｂから再び熱交換器３１に移動する。
【００３８】
室内機１２の送風機２１が作動しているので、図３の矢印のように空気が移動する。そして、トイレ内５の空気が吸入口２３から室内機１２の内部に入り、隙間２６を通過するが、このとき、放熱器２０で放熱しているので、この内部に入った空気が隙間２６を通過する間に暖められて吹出口２５から吹き出し、トイレ内５の空気の温度を上昇させる。
【００３９】
一方、室内機１２が作動すると、換気部１４のファン４０が連動し、トイレ内５の空気が排出される。すなわち、図５、図６に示されるように、ファン４０が作動すると、貫通孔９からトイレ内５の空気が排出される。そして、図５の実線の矢印で示すように、トイレ内の空気は壁部７と室内機１２との間の隙間８を通って、貫通孔９から排出される。
換気部１４によって、トイレ内５の空気が排出されると、トイレ内５は減圧されるので、ドアの隙間などにより外部から空気が流入する。
【００４０】
本実施形態では、図５に示されるように、換気部１４を作動させることによって起こるトイレ内５の排気の流れは、隙間８を通るため、壁面７を沿うような流れとなる。また、室内機１による吸入・吹出の流れは、壁部７に垂直方向に向かう流れとなる。したがって、室内機１２から吹き出された暖かい空気が、トイレの中央に向かって吹きつけることとなり、使用者の付近の温度をより早く上昇させることができ、また、トイレ外部に排出する流れとは離れているので、暖まった空気が排出されにくい。
【００４１】
上記実施形態では、換気部１４をトイレに既設のものを用いて施工しているが、既設のものでなくてもよく、新たな換気部１４を用いても良い。また、室内機１２と換気部１４は別部材であったが、室内機１２に換気部１４を設け、室内機１２と換気部１４とを一体的に形成することもできる。すなわち、室内機１２の壁部７側に換気部１４を設け、換気部１４のファン４０を作動させると、トイレ内５の空気を貫通孔９から外部に排出するように構成してもよい。
【００４２】
上記実施形態では、熱媒体に水を用いたが他の熱媒体を用いることもできる。
【産業上の利用可能性】
【００４３】
本発明は、トイレ内を暖房し、用便のにおいを拡散を少なくするトイレの構造に用いることができる。また、トイレに既設の換気部１４を用いてこのトイレ構造を施工することができる。
【図面の簡単な説明】
【００４４】
【図１】本発明のトイレ用暖房構造を横方向から見た模式図である。
【図２】本発明のトイレ用暖房構造を上から見た模式図である。
【図３】室内機の一部を切り欠いた斜視図である。
【図４】循環水路を示した模式図である。
【図５】室内機の取付部付近をトイレ内から見たときの壁部の斜視図である。
【図６】換気部の取付部付近をトイレ外から見たときの壁部の斜視図である。
【符号の説明】
【００４５】
１  トイレ用暖房構造
５  トイレ内
７  壁部
９  貫通孔
１０  暖房部
１２  室内機
１３  室外機
１４  換気部
１５  管路部材
２０  放熱器
２１  送風機
２３  吸入部
２５  吐出部
２６  隙間
３０  熱源
３１  熱交換器
【図１】
2005037083.tif 000003
【図２】
2005037083.tif 000004
【図３】
2005037083.tif 000005
【図４】
2005037083.tif 000006
【図５】
2005037083.tif 000007
【図６】
2005037083.tif 000008